(57)【要約】【課題】  キャップが外れ難く、且つ取り付け及び取り外しが容易な小型電子機器を提供する。【解決手段】  本発明に係る小型電子機器は、筐体１に開設した開口部11から露出する外部接続端子12と、開口部11を閉塞するキャップ２を具えている。キャップ２は、本体部に突設した軸部24と、横長の形状を呈する抜け止め部25とを具え、筐体１に開設した縦長の形状を呈する取付孔13を軸部24が貫通して、筐体１に回動可能に枢支される。キャップ２が開口部11を閉塞する第１回動姿勢にて、抜け止め部25の長辺方向と取付孔13の長辺方向とが直交して、抜け止め部25と筐体１の裏面とは大なる対向面積で重なり、第１回動姿勢からキャップ２を時計方向に９０度回転させた第２回動姿勢にて、抜け止め部25の長辺方向と取付孔13の長辺方向とが一致して、抜け止め部25と筐体１の裏面とは小なる対向面積で重なり、キャップ２の係脱が可能となる。【選択図】      図１
2006114300.tif 000002
【特許請求の範囲】
【請求項１】
開口部(11)が開設された筐体(１)と、該筐体(１)の開口部(11)から露出する外部接続端子(12)と、前記開口部(11)を閉塞するための合成樹脂製のキャップ(２)とを具え、該キャップ(２)は、前記筐体(１)の開口部(11)近傍に開設された取付孔(13)に係脱可能に係合して、前記筐体(１)に取り付けられている小型電子機器において、前記キャップ(２)は、前記筐体(１)の開口部(11)を筐体(１)の表面側から閉塞するカバー部(21)を有する本体部と、該本体部の裏面の端部に突設されて前記取付孔(13)を貫通する軸部(24)と、該軸部(24)の先端に該軸部(24)と交叉する方向に突設されて前記筐体(１)の裏面に摺接可能な抜け止め部(25)とを有して、前記軸部(24)を中心として、前記カバー部(21)が前記開口部(11)を閉塞した第１回動姿勢と前記カバー部(21)が前記開口部(11)を開口させた第２回動姿勢との間で回動が可能であり、該キャップ(２)の抜け止め部(25)は、前記第１回動姿勢にて前記筐体(１)の裏面と大なる対向面積で重なり、且つ前記第２回動姿勢にて前記筐体(１)の裏面と小なる対向面積で重なる形状を有していることを特徴とする小型電子機器。
【請求項２】
前記筐体(１)の取付孔(13)は１軸方向に長い長孔であって、前記キャップ(２)の抜け止め部(25)は、該長孔の形状に応じて１軸方向に長い形状を呈し、前記第２回動姿勢にて該抜け止め部(25)の長手方向と前記長孔の長手方向とが一致し、該抜け止め部(25)の裏面には、その長手方向の中心位置から長手方向に沿う何れかの一方向に偏寄した位置に、前記軸部(24)の先端が繋がっている請求項１に記載の小型電子機器。
【請求項３】
前記キャップ(２)のカバー部(21)の外周縁には、前記第１回動姿勢にて前記開口部(11)の内周縁と係脱可能な少なくとも１つの突片(26)が形成されている請求項１又は請求項２に記載の小型電子機器。
【発明の詳細な説明】
【技術分野】
【０００１】
本発明は、外部接続端子を保護するためのキャップを係脱自在に具えた携帯電話機や携帯情報端末機等の小型電子機器に関するものである。
【背景技術】
【０００２】
従来の携帯電話機においては、例えば図９に示す如く、筐体(４)の下端部に開設された開口部(41)から外部接続端子(42)が露出しており、該開口部(41)にコネクタを嵌入せしめて、外部接続端子(41)にコネクタの先端部を係合せしめることにより、携帯電話機に充電器や外部アンテナの他、パーソナルコンピュータを接続して、相互のデータ通信を行なうことが出来る様になっている。又、開口部(41)には、該開口部(41)を閉塞して外部接続端子(42)を保護するためのキャップ(３)が係脱可能に取り付けられている。
【０００３】
キャップ(３)は弾性材からなり、図１０に示す如く、前記開口部(41)を閉塞するカバー部(31)と、カバー部(31)の裏面に突設された舌片(32)とを具え、舌片(32)の両側縁には一対のフック部(33)(33)が形成されている。一方、図９に示す筐体(４)の開口部(41)の奥方には一対のピン(図示省略)が突設されている。
キャップ(３)の舌片(32)を前記開口部(41)に挿入すると、一対のフック部(33)(33)が前記一対のピンにそれぞれ当接して内側に屈曲変形し、舌片(32)が前記一対のピンの間を通過する。その後、一対のフック部(33)(33)が弾性復帰して、前記一対のピンと互いに係合する。この結果、キャップ(３)は筐体(４)に取り付けられて、開口部(41)を閉塞する。
上記携帯電話機をパーソナルコンピュータと接続する際には、キャップ(３)を筐体(４)から取り外し、開口部(41)から外部接続端子(42)を露出させる(特許文献１参照)。
【０００４】
しかしながら、上記携帯電話機においては、筐体(４)から取り外したキャップ(３)は筐体(４)と切り離されてしまうため、キャップ(３)を紛失してしまう虞があった。
この問題を解決するため、キャップを筐体に連結したまま、開口部から外部接続端子を露出させることが出来る携帯電話機が提案されている。
【０００５】
該携帯電話機においては、図１１に示す如く、筐体(６)の下端部に開設された開口部(61)から外部接続端子(62)が露出しており、開口部(61)の左方にはキャップ(５)を取り付けるための取付孔(63)が開設されている。
キャップ(５)は弾性材からなり、図１２に示す如く、開口部(61)を閉塞するカバー部(51)と、カバー部(51)の左端から左方へ伸びる連結部(52)と、連結部(52)の裏面に突設された軸部(53)と、軸部(53)の先端からカバー部(51)に沿って伸びる矩形状の抜け止め部(54)とを具えている。キャップ(５)の連結部(52)は、カバー部(51)に比べて薄肉に形成され、キャップ(５)のカバー部(51)の下面には、開口部(61)の内周縁と係合する２つの突片(55)(55)が形成されている。
キャップ(５)の抜け止め部(54)は、軸部(53)から左方に伸びる長さより、右方に伸びる長さの方が長く形成されており、キャップ(５)を筐体(６)に取り付ける際には、先ず、抜け止め部(54)の右側を取付孔(63)に挿入し、その後、抜け止め部(54)の左側を弾性変形させながら取付孔(63)に挿入する。この結果、キャップ(５)の抜け止め部(54)と筐体(６)の取付孔(63)とが互いに係合し、キャップ(５)が筐体(６)に取り付けられる。
【０００６】
上記携帯電話機においては、外部接続端子(62)にパーソナルコンピュータを接続する際、キャップ(５)のカバー部(51)を手前側に引いて、キャップ(５)の連結部(52)を屈曲させてカバー部(51)を９０°以上の開き角度まで開くことによって、キャップ(５)を筐体(６)に連結したまま開口部(61)を露出させることが出来る。
【特許文献１】特開２００２−１４１１４０号公報  [H01R 13/52]
【発明の開示】
【発明が解決しようとする課題】
【０００７】
しかしながら、図１１に示す上記従来の携帯電話機においては、キャップ(５)の取り付け状態でのキャップ(５)の抜け止め部(54)と筐体(６)の裏面との対向面積を大きくすると、キャップ(５)が筐体(６)から外れ難くなる反面、キャップ(５)の係脱が困難となり、逆にキャップ(５)の抜け止め部(54)と筐体(６)の裏面との対向面積を小さくすると、キャップ(５)の係脱は容易になる反面、キャップ(５)が筐体(６)から外れ易くなるという相反する問題があった。
そこで、本発明の目的は、キャップが外れ難く且つ取り付け及び取り外しが容易な小型電子機器を提供することである。
【課題を解決するための手段】
【０００８】
本発明に係る小型電子機器は、開口部(11)が開設された筐体(１)と、該筐体(１)の開口部(11)から露出する外部接続端子(12)と、前記開口部(11)を閉塞するための合成樹脂製のキャップ(２)とを具え、該キャップ(２)は、前記筐体(１)の開口部(11)近傍に開設された取付孔(13)に係脱可能に係合して、前記筐体(１)に取り付けられている。
前記キャップ(２)は、前記筐体(１)の開口部(11)を筐体(１)の表面側から閉塞するカバー部(21)を有する本体部と、該本体部の裏面の端部に突設されて前記取付孔(13)を貫通する軸部(24)と、該軸部(24)の先端に該軸部(24)と交叉する方向に突設されて前記筐体(１)の裏面に摺接可能な抜け止め部(25)とを有して、前記軸部(24)を中心として、前記カバー部(21)が前記開口部(11)を閉塞した第１回動姿勢と前記カバー部(21)が前記開口部(11)を開口させた第２回動姿勢との間で回動が可能であり、該キャップ(２)の抜け止め部(25)は、前記第１回動姿勢にて前記筐体(１)の裏面と大なる対向面積で重なり、且つ前記第２回動姿勢にて前記筐体(１)の裏面と小なる対向面積で重なる形状を有していることを特徴としている。
【０００９】
上記本発明の小型電子機器において、キャップ(２)を取り付ける際は、先ず、前記第２回動姿勢にて、キャップ(２)の抜け止め部(25)を弾性変形させながら筐体(１)の取付孔(13)に挿入する。該第２回動姿勢において、キャップ(２)の抜け止め部(25)は、筐体(１)の裏面と小なる対向面積で重なる形状を有しているので、取付孔(13)に挿入するために必要な抜け止め部(25)の弾性変形量は小さなものとなる。この様に、抜け止め部(25)を大きく弾性変形させることなく筐体(１)の取付孔(13)に挿入することが出来るので、キャップ(２)の取り付けは容易である。その後、キャップ(２)の軸部(24)を中心として、キャップ(２)を前記第１回動姿勢まで回動させ、キャップ(２)の取り付けを完了する。
【００１０】
通常、キャップ(２)は前記第１回動姿勢にてカバー部(21)が筐体(１)の開口部(11)を閉塞する。この状態で、キャップ(２)に取り外し方向に大きな力が作用したとしても、キャップ(２)の抜け止め部(25)は筐体(１)の裏面と大なる対向面積で重なっているので、弾性変形に対して大きな抗力を発揮する。従って、キャップ(２)の抜け止め部(25)を大きく弾性変形せしめる過大な力がキャップ(２)に作用しない限り、キャップ(２)の抜け止め部(25)が取付孔(13)から外れることはない。
【００１１】
例えばパーソナルコンピュータとの接続のため、外部接続端子(12)にコネクタを連結する場合には、キャップ(２)の軸部(24)を中心として、キャップ(２)を前記第２回動姿勢まで回動させる。この状態において、キャップ(２)の抜け止め部(25)は、筐体(１)の裏面と小なる対向面積で重なっているので、キャップ(２)に取り外し方向にある程度の力が作用したとしても、キャップ(２)の抜け止め部(25)は弾性変形に対してある程度の抗力を発揮する。従って、キャップ(２)の抜け止め部(25)が取付孔(13)から外れてしまうことはなく、キャップ(２)を筐体(１)に連結したまま、外部接続端子(12)を露出させることが出来る。これによって、キャップ(２)の紛失を防止することが出来る。
【００１２】
具体的構成において、前記筐体(１)の取付孔(13)は１軸方向に長い長孔であって、前記キャップ(２)の抜け止め部(25)は、該長孔の形状に応じて１軸方向に長い形状を呈し、前記第２回動姿勢にて該抜け止め部(25)の長手方向と前記長孔の長手方向とが一致し、該抜け止め部(25)の裏面には、その長手方向の中心位置から長手方向に沿う何れかの一方向に偏寄した位置に、前記軸部(24)の先端が繋がっている。
【００１３】
該具体的構成によれば、キャップ(２)の抜け止め部(25)の長手方向における一方の端部とキャップ(２)の軸部(24)との距離は、他方の端部と該軸部(24)との距離より長くなる。従って、キャップ(２)の抜け止め部(25)の長手方向と取付孔(13)の長手方向とを一致させ、更に、抜け止め部(25)の前記軸部(24)からの距離が長い方の端部から取付孔(13)に挿入し、その後、抜け止め部(25)の他方の端部を弾性変形させながら取付孔(13)に挿入することによって、キャップ(２)を取付孔(13)に取り付けることが出来る。逆に、抜け止め部(25)の前記軸部(24)からの距離が短い方の端部を弾性変形させながら取付孔(13)から取り出して、その後、長い方の端部を取付孔(13)から取り出すことによって、キャップ(２)を取付孔(13)から取り外すことが出来る。
上記取り付け及び取り外し作業によれば、抜け止め部(25)を取付孔(13)に挿入し、或いは取付孔(13)から取り出すために必要な抜け止め部(25)の弾性変形量を更に小さくすることが出来るので、キャップ(２)の取り付け及び取り外し作業をより簡単に行なうことが出来る。
【００１４】
又、具体的構成において、前記キャップ(２)のカバー部(21)の外周縁には、前記第１回動姿勢にて前記開口部(11)の内周縁と係脱可能な少なくとも１つの突片(26)が形成されている。
該具体的構成によれば、前記第１回動姿勢において、キャップ(２)のカバー部(21)は、開口部(11)を閉塞した状態に確実に保持されることになる。
【発明の効果】
【００１５】
本発明の小型電子機器によれば、キャップが外れ難く且つ取り付け及び取り外しが容易となる。
【発明を実施するための最良の形態】
【００１６】
以下、本発明を携帯電話機に実施した形態につき、図面に沿って具体的に説明する。
本発明に係る携帯電話機は、図１に示す如く、表面に複数の操作キー(15)が配設された筐体(１)と、筐体(１)の下端部に開設された矩形の開口部(11)と、開口部(11)から露出する外部接続端子(12)と、開口部(11)を閉塞する合成樹脂製のキャップ(２)とを具え、キャップ(２)は、筐体(１)の開口部(11)の左方近傍に開設された取付孔(13)に係脱可能に係合して、筐体(１)に取り付けられる。該取付孔(13)は、操作キー(15)が配設された筐体(１)の表面に垂直な方向に長辺を有し、該筐体(１)の表面に平行な方向に短辺を有する縦長の長孔となっている。
【００１７】
図２乃至図４に示す如く、キャップ(２)は、前記開口部(11)を閉塞するカバー部(21)と、カバー部(21)の裏面に突設された舌片(22)と、カバー部(21)よりも薄肉に形成されてカバー部(21)の左端から左方へ伸びる連結部(23)と、連結部(23)の裏面の左端に突設された軸部(24)と、軸部(24)の先端からカバー部(21)に沿って伸びる平板状の抜け止め部(25)とを具えている。カバー部(21)の外周面には、複数の突片(26)(26)(26)が突設されており、カバー部(21)の上面中央部には、凹部(27)が形成されている。
【００１８】
キャップ(２)が筐体(１)の開口を閉塞した状態において、キャップ(２)の抜け止め部(25)は、前記筐体(１)の表面に垂直な方向に短辺を有し、該筐体(１)の表面に平行な方向に長辺を有する横長の形状を呈している。抜け止め部(25)の長辺の長さＬ１は、前記取付孔(13)の長辺の長さａ１より僅かに大きく形成されている。又、抜け止め部(25)の短辺の長さＬ２は、前記取付孔(13)の短辺の長さａ２より僅かに小さく形成されている。更に、図３に示す如く、キャップ(２)のカバー部(21)側へ伸びる抜け止め部(25)の一端と軸部(24)との距離Ｌ３は、反対側へ伸びる抜け止め部(25)の他端と軸部(24)との距離Ｌ４より大きく形成されている。
【００１９】
図５及び図６は、キャップ(２)のカバー部(21)が筐体(１)の開口部(11)を閉塞した状態を示しており、この状態で、前記キャップ(２)の外周面に突設した複数の突片(26)(26)(26)は、開口部(11)の内周縁と係合している。
図６に示す如く、キャップ(２)は、キャップ(２)の抜け止め部(25)の長辺方向と取付孔(13)の短辺方向とが一致すると共に、キャップ(２)の抜け止め部(25)の短辺方向と取付孔(13)の長辺方向とが一致する第１回動姿勢にて、筐体(１)に取り付けられている。ここで、キャップ(２)の抜け止め部(25)の長辺の長さＬ１は、取付孔(13)の短辺の長さａ２より大きく形成されているので、キャップ(２)の抜け止め部(25)は、筐体(１)の裏面と大なる対向面積で重なることになる。
【００２０】
この状態で、キャップ(２)に取り外し方向に大きな力が作用したとしても、キャップ(２)の抜け止め部(25)は筐体(１)の裏面と大なる対向面積で重なっているので、弾性変形に対して大きな抗力を発揮する。従って、キャップ(２)の抜け止め部(25)を大きく弾性変形せしめる過大な力がキャップ(２)に作用しない限り、キャップ(２)の抜け止め部(25)が取付孔(13)から外れることはない。
【００２１】
例えばパーソナルコンピュータとの接続のため、外部接続端子(12)にコネクタを連結する場合には、キャップ(２)を上記第１回動姿勢から時計方向に９０度回転させる。
図７及び図８は、キャップ(２)を上記第１回動姿勢から時計方向に９０度回転させた状態、即ち第２回動姿勢を示しており、該第２回動姿勢にて、筐体(１)の開口部(11)から外部接続端子(12)の全体が露出する。
この状態において、図８に示す如く、キャップ(２)の抜け止め部(25)の長辺方向と取付孔(13)の長辺方向とが一致すると共に、キャップ(２)の抜け止め部(25)の短辺方向と取付孔(13)の短辺方向とが一致している。ここで、キャップ(２)の抜け止め部(25)の長辺の長さＬ１は、取付孔(13)の長辺の長さａ１より大きく形成されているので、キャップ(２)の抜け止め部(25)は筐体(１)の裏面と小なる対向面積で重なることになり、キャップ(２)に取り外し方向にある程度の力が作用したとしても、キャップ(２)の抜け止め部(25)は弾性変形に対してある程度の抗力を発揮する。従って、キャップ(２)の抜け止め部(25)が取付孔(13)から外れてしまうことはなく、キャップ(２)を筐体(１)に連結したまま、外部接続端子(12)を露出させることが出来る。これによって、キャップ(２)の紛失を防止することが出来る。
【００２２】
尚、図５に示す前記第１回動姿勢にて、キャップ(２)のカバー部(21)の上面に設けた凹部(27)に指を掛けて手前に引いてカバー部(21)を９０°以上の開き角度まで開くことによって、従来の携帯電話機と同様に筐体(１)の開口部(11)から外部接続端子(12)を露出させることも可能である。
この際、カバー部(21)より薄肉に形成された連結部(23)が容易に弾性変形して、カバー部(21)が開くことになる。
【００２３】
キャップ(２)の取り付け及び取り外しは、上記第２回動姿勢にて行なう。即ち、キャップ(２)の取り付けの際には、キャップ(２)の抜け止め部(25)を弾性変形させながら筐体(１)の取付孔(13)に挿入する。前記第２回動姿勢において、キャップ(２)の抜け止め部(25)は、筐体(１)の裏面と小なる対向面積で重なる形状を有しているので、取付孔(13)に挿入するために必要な抜け止め部(25)の弾性変形量は小さなものとなる。同様に、キャップ(２)から取り外すために必要な抜け止め部(25)の弾性変形量は小さなものとなる。
【００２４】
又、キャップ(２)のカバー部(21)側へ伸びる抜け止め部(25)の一端と軸部(24)との距離Ｌ３は、反対側へ伸びる抜け止め部(25)の他端と軸部(24)との距離Ｌ４より大きく形成されているので、キャップ(２)のカバー部(21)側に伸びる抜け止め部(25)の一端を取付孔(13)に挿入した後、抜け止め部(25)の他端を弾性変形させながら挿入することにより、キャップ(２)を取付孔(13)に取り付けることが出来る。上記取り付け作業によれば、抜け止め部(25)を大きく弾性変形させることなく筐体(１)の取付孔(13)に挿入することが出来るので、キャップ(２)の取り付け作業を簡単に行なうことが出来る。
【００２５】
逆に、キャップ(２)のカバー部(21)の反対側へ伸びる抜け止め部(25)の一端を弾性変形させながら取付孔(13)から取り出した後、抜け止め部(25)の他端を取付孔(13)から取り出すことにより、キャップ(２)を取付孔(13)から取り外すことが出来る。上記取り外し作業によれば、抜け止め部(25)を大きく弾性変形させることなく筐体(１)の取付孔(13)から取り出すことが出来るので、キャップ(３)の取り外し作業をより簡単に行なうことが出来る。
【００２６】
尚、本発明の各部構成は上記実施の形態に限らず、特許請求の範囲に記載の技術的範囲内で種々の変形が可能である。例えば、キャップ(２)の抜け止め部(25)の形状は矩形状に限らず、前記第１回動姿勢にて筐体(１)の裏面と大なる対向面積で重なり、且つ前記第２回動姿勢にて筐体(１)の裏面と小なる対向面積で重なる形状を有する種々の形状を採用することが可能である。
【図面の簡単な説明】
【００２７】
【図１】本発明に係る携帯電話機及びキャップを示す斜視図である。
【図２】キャップを背面側から見た斜視図である。
【図３】キャップを上方から見た平面図である。
【図４】キャップを左方から見た側面図である。
【図５】キャップの閉塞状態を示す平面図である。
【図６】図５のＣ−Ｃ断面における断面図である。
【図７】キャップの係脱時の状態を示す平面図である。
【図８】図７のＤ−Ｄ断面における断面図である。
【図９】従来の携帯電話機及びキャップを示す斜視図である。
【図１０】図９のキャップを上方から見た平面図である。
【図１１】従来の他の携帯電話機及びキャップを示す斜視図である。
【図１２】図１１のキャップを背面側から見た斜視図である。
【符号の説明】
【００２８】
(１)  筐体
(11)  開口部
(12)  外部接続端子
(13)  取付孔
(２)  キャップ
(21)  カバー部
(22)  舌片
(23)  連結部
(24)  軸部
(25)  抜け止め部
(26)  突片
(27)  凹部
【図１】
2006114300.tif 000003
【図２】
2006114300.tif 000004
【図３】
2006114300.tif 000005
【図４】
2006114300.tif 000006
【図５】
2006114300.tif 000007
【図６】
2006114300.tif 000008
【図７】
2006114300.tif 000009
【図８】
2006114300.tif 000010
【図９】
2006114300.tif 000011
【図１０】
2006114300.tif 000012
【図１１】
2006114300.tif 000013
【図１２】
2006114300.tif 000014